(57)【要約】【課題】表示性能を向上させることが可能な表示装置を提供する。【解決手段】表示装置は、複数の第１電極と第２電極との間に設けられると共に、印加電圧に応じて、白、黒または階調の表示状態を切り替えて画像を表示することが可能な電気泳動表示素子を有する表示部と、１または複数のフレーム期間からなる書き込み期間において、第１電極に印加する電圧を変化させつつ第２電極を共通電位に保持して、表示部を表示駆動する駆動回路とを備える。駆動回路は、第１の書き込み期間において、表示部の第１領域が白または黒の第１の表示状態を有すると共に、第１の書き込み期間から時間的に連続する第２の書き込み期間への切り替えの際に、表示部の第１領域において第１の表示状態を保持しつつ、表示部の第２領域の画像を変化させる場合に、共通電位を、表示部の第１領域に印加されている電圧を嵩上げする方向にオフセットさせる、ように構成される。【選択図】図１
2016099587.tif 000002
【特許請求の範囲】
【請求項１】
複数の第１電極と第２電極との間に設けられると共に、印加電圧に応じて、白、黒または階調の表示状態を切り替えて画像を表示することが可能な電気泳動表示素子を有する表示部と、
１または複数のフレーム期間からなる書き込み期間において、前記第１電極に印加する電圧を変化させつつ前記第２電極を共通電位に保持して、前記表示部を表示駆動する駆動回路と
を備え、
前記駆動回路は、
第１の書き込み期間において、前記表示部の第１領域が白または黒の第１の表示状態を有すると共に、前記第１の書き込み期間から時間的に連続する第２の書き込み期間への切り替えの際に、前記表示部の第１領域において前記第１の表示状態を保持しつつ、前記表示部の第２領域の画像を変化させる場合に、
前記共通電位を、前記表示部の前記第１領域に保持されている電圧を嵩上げする方向にオフセットさせる
ように構成された
表示装置。
【請求項２】
前記第１の書き込み期間において前記第２領域が前記第１の表示状態とは異なる第２の表示状態を有し、
前記駆動回路は、
前記第２の書き込み期間において、前記表示部の前記第１領域を前記第１の表示状態に保持しつつ、前記第２領域を前記第１の表示状態に変化させる
請求項１に記載の表示装置。
【請求項３】
前記複数の第１電極の各々に接続されたＴＦＴ素子を備え、
前記駆動回路は、前記第２の書き込み期間の最終のフレーム期間において、
前記共通電位を前記オフセット後の電位に保持しつつ、前記表示部のうちの前記第１の表示状態とは異なる第２の表示状態を有する領域における前記第１電極に対し、前記共通電位のオフセット量の少なくとも一部をキャンセルする電圧を印加した後、前記ＴＦＴ素子をオフ状態に切り替える
請求項１に記載の表示装置。
【請求項４】
前記複数の第１電極の各々に接続されたＴＦＴ素子を備え、
前記駆動回路は、前記第２の書き込み期間の最終のフレーム期間において、
前記共通電位を前記オフセット前の電位に切り替えると共に、前記表示部のうちの前記第１の表示状態を有する領域における前記第１電極に対し、前記共通電位のオフセット時と同等以上の電位差を生じさせる電圧を印加した後、前記ＴＦＴ素子をオフ状態に切り替える
請求項１に記載の表示装置。
【請求項５】
前記共通電位のオフセット量は５Ｖ未満である
請求項１に記載の表示装置。
【請求項６】
前記駆動回路は、
前記第２の書き込み期間において、前記表示部の前記第１領域を前記第１の表示状態に保持しつつ、前記第２領域として前記第１領域の一部を前記第１の表示状態とは異なる第２の表示状態に変化させる
請求項１に記載の表示装置。
【請求項７】
前記駆動回路は、前記第２の書き込み期間の長さを、前記第２の書き込み期間の直前までの前記第１の表示状態の継続時間に応じて変化させる
請求項６に記載の表示装置。
【請求項８】
前記駆動回路は、前記第２の書き込み期間における前記第２領域に対する印加電圧波形を、前記第２の書き込み期間の直前までの前記第１の表示状態の継続時間に応じて変化させる
請求項６に記載の表示装置。
【請求項９】
前記駆動回路は、前記第２の書き込み期間の長さと、前記共通電位のオフセット量とに応じて、ＤＣバランスを補正する
請求項６に記載の表示装置。
【請求項１０】
前記第１の表示状態は白表示状態であり、前記第２の表示状態は黒表示状態である
請求項１に記載の表示装置。
【請求項１１】
複数の第１電極と第２電極との間に設けられ、白、黒または階調の表示状態を切り替えて画像を表示することが可能な電気泳動表示素子を有する表示部に対し、１または複数のフレーム期間からなる書き込み期間において、前記第１電極に印加する電圧を変化させると共に前記第２電極を共通電位に保持して、前記表示部を表示駆動する際に、
第１の書き込み期間において、前記表示部の第１領域が白または黒の第１の表示状態を有すると共に、前記第１の書き込み期間から時間的に連続する第２の書き込み期間への切り替えの際に、前記表示部の第１領域において前記第１の表示状態を保持しつつ、前記表示部の第２領域の画像を変化させる場合に、
前記共通電位を、前記表示部の前記第１領域に印加されている電圧を嵩上げする方向にオフセットさせる
駆動方法。
【請求項１２】
前記第１の書き込み期間において前記第２領域が前記第１の表示状態とは異なる第２の表示状態を有する場合に、
前記第２の書き込み期間において、前記表示部の前記第１領域を前記第１の表示状態に保持しつつ、前記第２領域を前記第１の表示状態に変化させる
請求項１１に記載の駆動方法。
【請求項１３】
前記第２の書き込み期間の最終のフレーム期間において、
前記共通電位を前記オフセット後の電位に保持しつつ、前記表示部のうちの前記第１の表示状態とは異なる第２の表示状態を有する領域における前記第１電極に対し、前記共通電位のオフセット量の少なくとも一部をキャンセルする電圧を印加した後、前記複数の第１電極の各々に接続されたＴＦＴ素子をオフ状態に切り替える
請求項１１に記載の駆動方法。
【請求項１４】
前記第２の書き込み期間の最終のフレーム期間において、
前記共通電位を前記オフセット前の電位に切り替えると共に、前記表示部のうちの前記第１の表示状態を有する領域における前記第１電極に対し、前記共通電位のオフセット時と同等以上の電位差を生じさせる電圧を印加した後、前記複数の第１電極の各々に接続されたＴＦＴ素子をオフ状態に切り替える
請求項１１に記載の駆動方法。
【請求項１５】
前記共通電位のオフセット量は５Ｖ未満である
請求項１１に記載の駆動方法。
【請求項１６】
前記第２の書き込み期間において、前記表示部の前記第１領域は前記第１の表示状態に保持しつつ、前記第２領域として前記第１領域の一部を前記第１の表示状態とは異なる第２の表示状態に変化させる
請求項１１に記載の駆動方法。
【請求項１７】
前記第２の書き込み期間の長さを、前記第２の書き込み期間の直前までの前記第１の表示状態の継続時間に応じて変化させる
請求項１６に記載の駆動方法。
【請求項１８】
前記第２の書き込み期間における前記第２領域に対する印加電圧波形を、前記第２の書き込み期間の直前までの前記第１の表示状態の継続時間に応じて変化させる
請求項１６に記載の駆動方法。
【請求項１９】
前記第２の書き込み期間の長さと、前記共通電位のオフセット量とに応じて、ＤＣバランスを補正する
請求項１６に記載の駆動方法。
【請求項２０】
複数の第１電極と第２電極との間に設けられると共に、印加電圧に応じて、白、黒または階調の表示状態を切り替えて画像を表示することが可能な電気泳動表示素子を有する表示部と、
１または複数のフレーム期間からなる書き込み期間において、前記第１電極に印加する電圧を変化させつつ前記第２電極を共通電位に保持して、前記表示部を表示駆動する駆動回路と
を備え、
前記駆動回路は、
第１の書き込み期間において、前記表示部の第１領域が白または黒の第１の表示状態を有すると共に、前記第１の書き込み期間から時間的に連続する第２の書き込み期間への切り替えの際に、前記表示部の第１領域において前記第１の表示状態を保持しつつ、前記表示部の第２領域の画像を変化させる場合に、
前記共通電位を、前記表示部の前記第１領域に印加されている電圧を嵩上げする方向にオフセットさせる
ように構成された
表示装置を有する電子機器。
【発明の詳細な説明】
【技術分野】
【０００１】
本開示は、電気泳動表示素子を用いた表示装置およびその駆動方法、ならびにその表示装置を備えた電子機器に関する。
【背景技術】
【０００２】
近年、様々な広告コンテンツを低コストにて配信することができるデジタルサイネージが注目されている。デジタルサイネージには、一般に、ＬＣＤ（liquid Crystal Display）などの透過型ディスプレイが使われることが多いが、屋外で使用する場合、コントラスト比を取りにくく、視認性に欠ける。また、太陽光などの外光に負けないように発光を行わなければならないため、消費電力が高くなる。
【０００３】
この一方で、低消費電力を実現するディスプレイとして、電子ペーパーなどの電気泳動表示素子を用いた反射型ディスプレイが注目されている。電子ペーパーは、デジタルサイネージだけでなく、デジタル時計などの書き換え頻度の低いディスプレイ用途においても使用されるようになっている。電子ペーパーは、１つの画像の書き込みが終わると、一旦電源を落とし（オフにし）、その後新しく書き換えを行う際に再び電源をオンにして、使用されるため、電源を落としてからの経過時間（更新時間）に応じてコントラストが変化し、視認性が低下してしまう。このような表示特性のことをメモリー性と呼ぶ。また、新しく書き換えを行った部分と書き換えを行わなかった部分との間において輝度差が生じ、これにより残像と呼ばれる現象が生じる。このため、ユーザに不快感を与えてしまうことがある。
【０００４】
そこで、特許文献１には、書き込みの途中で補強用のパルスを印加する手法が提案されている。補強用のパルスを用いることで、時間経過に伴う反射率の低下を補うことができ、これにより、書き換えた部分と書き換えていない部分との間での輝度差を抑制して残像の発生を抑えることができる。
【先行技術文献】
【特許文献】
【０００５】
【特許文献１】特表２００９−５３８４５１号公報
【発明の概要】
【発明が解決しようとする課題】
【０００６】
しかしながら、表示体のメモリー性などにもよるが、上記特許文献１のように補強用のパルスを印加した場合、そのときの反射率変化がユーザによって視認されることがある。また、時間に対する反射率変化が大きい性質を有する表示体では頻繁に補強パルスを印加しなれば、残像が視認されてしまう。よって、上記のような残像を軽減して表示性能を向上させることが可能な新たな手法の実現が望まれている。
【０００７】
本開示はかかる問題点に鑑みてなされたもので、その目的は、表示性能を向上させることが可能な表示装置およびその駆動方法、ならびに電子機器を提供することにある。
【課題を解決するための手段】
【０００８】
本開示の表示装置は、複数の第１電極と第２電極との間に設けられると共に、印加電圧に応じて、白、黒または階調の表示状態を切り替えて画像を表示することが可能な電気泳動表示素子を有する表示部と、１または複数のフレーム期間からなる書き込み期間において、第１電極に印加する電圧を変化させつつ第２電極を共通電位に保持して、表示部を表示駆動する駆動回路とを備える。駆動回路は、第１の書き込み期間において、表示部の第１領域が白または黒の第１の表示状態を有すると共に、第１の書き込み期間から時間的に連続する第２の書き込み期間への切り替えの際に、表示部の第１領域において第１の表示状態を保持しつつ、表示部の第２領域の画像を変化させる場合に、共通電位を、表示部の第１領域に印加されている電圧を嵩上げする方向にオフセットさせる、ように構成されたものである。
【０００９】
本開示の駆動方法は、複数の第１電極と第２電極との間に設けられ、白、黒または階調の表示状態を切り替えて画像を表示することが可能な電気泳動表示素子を有する表示部に対し、１または複数のフレーム期間からなる書き込み期間において、第１電極に印加する電圧を変化させると共に第２電極を共通電位に保持して、表示部を表示駆動する。第１の書き込み期間において、表示部の第１領域が白または黒の第１の表示状態を有すると共に、第１の書き込み期間から時間的に連続する第２の書き込み期間への切り替えの際に、表示部の第１領域において第１の表示状態を保持しつつ、表示部の第２領域の画像を変化させる場合に、共通電位を、表示部の第１領域に印加されている電圧を嵩上げする方向にオフセットさせるものである。
【００１０】
本開示の電子機器は、上記本開示の表示装置を有するものである。
【００１１】
本開示の表示装置および駆動方法ならびに電子機器では、第１の書き込み期間から時間的に連続する第２の書き込み期間への切り替えの際に、表示部の第１領域において第１の表示状態を保持しつつ、表示部の第２領域の画像を変化させる場合に、共通電位を、表示部の第１領域に印加されている電圧を嵩上げする方向にオフセットさせる駆動を行う。これにより、第１領域では、時間経過に伴う反射率変化を補うことができる。
【発明の効果】
【００１２】
本開示の表示装置および駆動方法ならびに電子機器によれば、第１の書き込み期間から時間的に連続する第２の書き込み期間への切り替えの際に、表示部の第１領域において第１の表示状態を保持しつつ、表示部の第２領域の画像を変化させる場合に、共通電位を、表示部の第１領域に印加されている電圧を嵩上げする方向にオフセットさせる駆動を行う。これにより、第１領域における時間経過に伴う反射率変化を補うことができ、残像の発生を抑制すると共に、コントラスト比の低下を抑制することができる。よって、表示性能を向上させることが可能となる。
【００１３】
尚、上記内容は本開示の一例である。本開示の効果は、上述したものに限らず、他の異なる効果であってもよいし、更に他の効果を含んでいてもよい。
【図面の簡単な説明】
【００１４】
【図１】本開示の第１実施形態の表示装置の構成を駆動装置の構成と共に表すブロック図である。
【図２】図１に示した画素部の要部構成を表す断面図である。
【図３】図２に示した表示体の構成を表す模式図である。
【図４】図１に示した表示装置の駆動方法を説明するための断面模式図である。
【図５Ａ】図１に示した表示装置の駆動方法を説明するためのタイミング図である。
【図５Ｂ】階調表示動作の一例を説明するためのタイミング図である。
【図６】印加電圧波形に対する表示状態の遷移について説明するための模式図である。
【図７Ａ】印加電圧波形の一例を表す模式図である。
【図７Ｂ】印加電圧波形の一例を表す模式図である。
【図７Ｃ】印加電圧波形の一例を表す模式図である。
【図７Ｄ】印加電圧波形の一例を表す模式図である。
【図８Ａ】書き込み期間の最終フレームにおいて０Ｖを印加した場合の光学応答特性を表した図である。
【図８Ｂ】書き込み期間の最終フレームにおいて０Ｖを印加しない場合の光学応答特性を表した図である。
【図９Ａ】印加電圧として０Ｖを用いない一部表示を説明するための模式図である。
【図９Ｂ】印加電圧として０Ｖを用いた一部表示（部分書き換え）を説明するための模式図である。
【図１０Ａ】第１書き込み期間後に表示された画像の一例を表す模式図である。
【図１０Ｂ】比較例に係る第２書き込み期間における表示書き換え動作を説明するための模式図である。
【図１１Ａ】第１書き込み期間後に表示された画像の一例を表す模式図である。
【図１１Ｂ】実施例に係る第２書き込み期間における表示書き換え動作を説明するための模式図である。
【図１１Ｃ】共通電位波形の一例を表す図である。
【図１２】共通電位のオフセット量と１０分後の反射率変化との関係を表す特性図である。
【図１３Ａ】第２書き込み期間終了時における電位の状態を説明するための回路図である。
【図１３Ｂ】図１３Ａに示した電位状態に至るまでの電位変化のタイミングを表す模式図である。
【図１４Ａ】第２書き込み期間終了時におけるバックグラウンド部の電位状態の一例を説明するための回路図である。
【図１４Ｂ】図１４Ａに示した電位状態に至るまでのバックグラウンド部の電位変化のタイミングを表す模式図である。
【図１５Ａ】第２書き込み期間終了時における図画部の電位状態の一例を説明するための回路図である。
【図１５Ｂ】図１５Ａに示した電位状態に至るまでの図画部の電位変化のタイミングを表す模式図である。
【図１６Ａ】第２書き込み期間終了時におけるバックグラウンド部の電位状態の他の例を説明するための回路図である。
【図１６Ｂ】図１６Ａに示した電位状態に至るまでのバックグラウンド部の電位変化のタイミングを表す模式図である。
【図１７Ａ】第２書き込み期間終了時における図画部の電位状態の他の例を説明するための回路図である。
【図１７Ｂ】図１７Ａに示した電位状態に至るまでの図画部の電位変化のタイミングを表す模式図である。
【図１８】第２書き込み期間の長さを変化させた場合の一例を表す模式図である。
【図１９】第２書き込み期間における書き込み部分の印加電圧波形の一例を表す模式図である。
【図２０】変形例１に係る表示装置の要部構成を表す断面図である。
【図２１Ａ】適用例に係る電子ブックの構成を表す斜視図である。
【図２１Ｂ】適用例に係る電子ブックの構成を表す斜視図である。
【発明を実施するための形態】
【００１５】
以下、本開示の実施形態について、図面を参照して詳細に説明する。なお、説明する順序は、下記の通りである。
１．実施の形態（バックグラウンド部の白表示状態を保持しつつ画像の書き換えを行う場合に、共通電位をオフセットさせる駆動を行う電気泳動型の表示装置の例）
２．変形例（ＴＦＴ素子を用いない駆動方式の例）
３．適用例（電子ブックの例）
【００１６】
＜実施の形態＞
［構成］
図１は、本開示の一実施形態の表示装置（表示装置１）の構成をその駆動装置（駆動装置２）の構成と共に表したものである。表示装置１は、電気泳動現象を利用して画像を表示する電気泳動型の表示装置であり、いわゆる電子ペーパーディスプレイである。
【００１７】
表示装置１は、例えばＴＦＴ素子を用いたアクティブマトリクス駆動方式によって表示駆動される複数の画素１０（画素部１Ａ）を有している。画素部１Ａ（表示部）は、電気泳動表示素子（表示体１０Ａ）を含み、表示体１０Ａの光反射率を変化させることで、文字や画像の表示を行うものである。画素部１Ａは、走査線駆動回路１１０および信号線駆動回路１２０に接続されている。走査線駆動回路１１０から行方向に沿って延設された複数の走査線ＧＬと、信号線駆動回路１２０から列方向に沿って延設された複数の信号線ＤＬとの各交点に、画素１０が形成されている。
【００１８】
走査線駆動回路１１０は、駆動装置２から供給される制御信号に従って複数の走査線ＧＬに対して走査信号を順次印加することにより、複数の画素１０を順次選択するものである。信号線駆動回路１２０は、駆動装置２から供給される制御信号に従って、表示用信号に対応するアナログの信号を生成し、各信号線ＤＬに印加するものである。信号線駆動回路１２０により各信号線ＤＬに対して印加された表示用の信号（信号電圧）が、走査線駆動回路１１０により選択された画素１０に対して印加されるようになっている。
【００１９】
駆動装置２は、表示装置１を表示駆動するために必要な信号の生成および電源供給などを行う駆動部である。この駆動装置２は、例えば制御部２１０と、記憶部２１１と、信号処理部２１２と、電源回路２１３とを備えている。信号処理部２１２は、例えばタイミングコトローラ２１２ａと表示用信号生成部２１２ｂとを有している。これらのタイミングコトローラ２１２ａと表示用信号生成部２１２ｂにより、後述する走査線ＧＬ，信号線ＤＬに出力される各種信号やそれらの信号の印加タイミングを制御する信号などが生成される。なお、この駆動装置２と、走査線信号回路１１０および信号線駆動回路１２０とが、本開示の「駆動回路」の一具体例に相当する。
【００２０】
（表示装置１の詳細構成例）
図２は、表示装置１の画素部１Ａの要部構成を表したものである。図３は、表示体１０Ａの構成を模式的に表したものである。画素部１Ａでは、例えば、第１基板１１上に、ＴＦＴ層１２を介して複数の第１電極（画素電極）１３が設けられている。これらのＴＦＴ層１２および第１電極１３を覆うように、封止層１４が形成されており、この封止層１４の上に表示体１０Ａが設けられている。表示体１０Ａ上には、第２電極（対向電極）１９および第２基板２０がこの順に配置されている。このような構成において、第１電極１３に印加される表示用の電圧を変化させつつ、第２電極１９は共通電位（Ｖcom）に保持されることで、表示体１０Ａには、第１電極１３と第２電極１９とを通じて所定の電圧が印加される。表示体１０Ａでは、その印加電圧に応じて光反射率が変化する（コントラストを生じさせる）ように構成されている。例えば、表示体１０Ａは、特に限定されるものではないが、絶縁性液体１５中に多孔質層１６と泳動粒子１７とを含むものである。この表示体１０Ａは、隔壁１９によって画素１０毎に分離されている。尚、ここでは、電気泳動素子が隔壁１７によって区切られた構成となっているが、電気泳動素子の構成はこれに限定されず、他の構成（例えば、カプセル状のものや隔壁無しのもの）であってもよい。
【００２１】
第１基板１１は、例えば無機材料、金属材料またはプラスチック材料などにより構成されている。無機材料としては、例えば、ケイ素（Ｓｉ）、酸化ケイ素（ＳｉＯＸ）、窒化ケイ素（ＳｉＮＸ）または酸化アルミニウム（ＡｌＯＸ）などが挙げられる。酸化ケイ素には、例えばガラスまたはスピンオングラス（ＳＯＧ）などが含まれる。金属材料としては、例えばアルミニウム（Ａｌ）、ニッケル（Ｎｉ）またはステンレスなどが挙げられる。プラスチック材料としては、例えば、ポリカーボネート（ＰＣ）、ポリエチレンテレフタレート（ＰＥＴ）、ポリエチレンナフタレート（ＰＥＮ）またはポリエチルエーテルケトン（ＰＥＥＫ）などが挙げられる。
【００２２】
ＴＦＴ層１２は、画素を選択するためのスイッチング素子（後述のＴＦＴ素子１２Ａ）が形成された層である。ＴＦＴ素子１２Ａは、例えば、チャネル層としてアモルファスシリコン、ポリシリコンまたは酸化物などの無機半導体層を用いた無機ＴＦＴでもよいし、ペンタセンなどの有機半導体層を用いた有機ＴＦＴでもよい。また、ＴＦＴ素子の種類は特に限定されず、例えば逆スタガー構造（いわゆるボトムゲート型）であってもよいし、スタガー構造（いわゆるトップゲート型）であってもよい。ＴＦＴ素子１２Ａは、画素１０毎に配置されて、各々が第１電極１３に電気的に接続されると共に、走査線ＧＬを通じて印加される走査信号によってオン状態およびオフ状態が切り替えられる。
【００２３】
第１電極１３は、例えば、金（Ａｕ）、銀（Ａｇ）または銅（Ｃｕ）などの導電性材料のうち少なくとも１種を含んでいる。この第１電極１３は、画素部１Ａにおいて、マトリクス状に複数配置されている。
【００２４】
封止層１４は、粘着性をもつ樹脂材料から構成されている。
【００２５】
絶縁性液体１５は、例えば有機溶媒などの非水溶媒であり、具体的には、パラフィンまたはイソパラフィンなどである。この絶縁性液体１５の粘度および屈折率は、できるだけ低いことが好ましい。泳動粒子１７の移動性（応答速度）が向上すると共に、それに応じて泳動粒子１７の移動に要するエネルギー（消費電力）が低くなるからである。また、絶縁性液体１５の屈折率と多孔質層１６の屈折率との差が大きくなるため、その多孔質層１６の光反射率が高くなるからである。
【００２６】
なお、絶縁性液体１５は、必要に応じて、各種材料を含んでいてもよい。例えば、絶縁性液体１５は、着色剤、電荷制御剤、分散安定剤、粘度調製剤、界面活性剤または樹脂などを含んでいてもよい。
【００２７】
泳動粒子１７は、第１電極１３と第２電極１９との間を移動可能な荷電粒子であり、絶縁性液体１５中に分散されている。この泳動粒子１７は、絶縁性液体１５中で第１電極１３と第２電極１９との間を移動可能になっている。泳動粒子１７は、例えば、有機顔料、無機顔料、染料、炭素材料、金属材料、金属酸化物、ガラスまたは高分子材料（樹脂）などのいずれか１種類または２種類以上の粒子（粉末）である。なお、泳動粒子１７は、上記した粒子を含む樹脂固形分の粉砕粒子またはカプセル粒子などでもよい。ただし、炭素材料、金属材料、金属酸化物、ガラスまたは高分子材料に該当する材料は、有機顔料、無機顔料または染料に該当する材料から除かれることとする。この泳動粒子１７としては、上記の中のいずれか１種類が用いられてもよいし、複数種類のものが用いられてもよい。
【００２８】
絶縁性液体１５中における泳動粒子１７の含有量（濃度）は、特に限定されないが、例えば、０．１重量％〜１０重量％である。泳動粒子１７の遮蔽（隠蔽）性および移動性が確保されるからである。この場合には、０．１重量％よりも少ないと、泳動粒子１７が多孔質層１６を遮蔽しにくくなる可能性がある。一方、１０重量％よりも多いと、泳動粒子１７の分散性が低下するため、その泳動粒子１７が泳動しにくくなり、場合によっては凝集する可能性がある。
【００２９】
この泳動粒子１７は、また、任意の光反射特性（光反射率）を有している。泳動粒子１７の光反射率は、特に限定されないが、少なくとも泳動粒子１７が多孔質層１６を遮蔽可能となるように設定されることが好ましい。泳動粒子１７の光反射率と多孔質層１６の光反射率との違いを利用してコントラストを生じさせるためである。
【００３０】
泳動粒子１７の具体的な形成材料は、例えば、コントラストを生じさせるために泳動粒子１７が担う役割に応じて選択される。例えば、泳動粒子１７により明表示（白表示）される場合の材料は、例えば、酸化チタン、酸化亜鉛、酸化ジルコニウム、チタン酸バリウムまたはチタン酸カリウムなどの金属酸化物であり、中でも、酸化チタンが好ましい。電気化学的安定性および分散性などに優れていると共に、高い反射率が得られるからである。一方、泳動粒子１７により暗表示（黒表示）される場合の材料は、例えば、炭素材料または金属酸化物などである。炭素材料は、例えば、カーボンブラックなどであり、金属酸化物は、例えば、銅−クロム酸化物、銅−マンガン酸化物、銅−鉄−マンガン酸化物、銅−クロム−マンガン酸化物または銅−鉄−クロム酸化物などである。
【００３１】
泳動粒子１７により明表示される場合、外部から視認される泳動粒子１７の色は、コントラストを生じさせることができれば特に限定されないが、例えば白色または白色に近い色であることが望ましい。一方、泳動粒子１７により暗表示される場合、外部から視認される泳動粒子１７の色は、コントラストを生じさせることができれば特に限定されないが、黒色または黒色に近い色であることが望ましい。いずれの場合でも、コントラストが高くなるからである。
【００３２】
なお、泳動粒子１７は、絶縁性液体１５中で長期間に渡って分散および帯電しやすいと共に多孔質層１６に吸着しにくいことが好ましい。このため、静電反発により泳動粒子１７を分散させるために分散剤（または電荷調整剤）を用いたり、泳動粒子１７に表面処理を施してもよく、両者を併用してもよい。
【００３３】
多孔質層１６は、例えば、図３に示したように、繊維状構造体１６Ａにより形成された３次元立体構造物（不織布のような不規則なネットワーク構造物）である。この多孔質層１６は、繊維状構造体１６Ａが存在していない箇所に、泳動粒子１７が通過するための複数の隙間（細孔Ｈ）を有している。
【００３４】
繊維状構造体１６Ａには、１または２以上の非泳動粒子１６Ｂが含まれており、その非泳動粒子１６Ｂは、繊維状構造体１６Ａにより保持されている。３次元立体構造物である多孔質層１６では、１本の繊維状構造体１６Ａがランダムに絡み合っていてもよいし、複数本の繊維状構造体１６Ａが集合してランダムに重なっていてもよいし、両者が混在していてもよい。繊維状構造体１６Ａが複数本である場合、各繊維状構造体１６Ａは、１または２以上の非泳動粒子１６Ｂを保持していることが好ましい。なお、図３では、複数本の繊維状構造体１６Ａにより多孔質層１６が形成されている場合を示している。
【００３５】
多孔質層１６が３次元立体構造物であるのは、その不規則な立体構造により外光が乱反射（多重散乱）されやすいため、多孔質層１６の光反射率が高くなると共に、その高い光反射率を得るために多孔質層１６が薄くて済むからである。これにより、コントラストが高くなると共に、泳動粒子１７を移動させるために必要なエネルギーが低くなる。また、細孔Ｈの平均孔径が大きくなると共にその数が多くなるため、泳動粒子１７が細孔Ｈを通過しやすくなるからである。これにより、泳動粒子１７の移動に要する時間が短くなると共に、その泳動粒子１７の移動に要するエネルギーも低くなる。
【００３６】
繊維状構造体１６Ａに非泳動粒子１６Ｂが含まれているのは、外光がより乱反射しやすくなるため、多孔質層１６の光反射率がより高くなるからである。これにより、コントラストがより高くなる。
【００３７】
繊維状構造体１６Ａは、繊維径（直径）に対して長さが十分に大きい繊維状物質である。この繊維状構造体１６Ａは、例えば、高分子材料または無機材料などのいずれか１種類または２種類以上を含んでおり、他の材料を含んでいてもよい。高分子材料は、例えば、ナイロン、ポリ乳酸、ポリアミド、ポリイミド、ポリエチレンテレフタレート、ポリアクリロニトリル、ポリエチレンオキシド、ポリビニルカルバゾール、ポリビニルクロライド、ポリウレタン、ポリスチレン、ポリビニルアルコール、ポリサルフォン、ポリビニルピロリドン、ポリビニリデンフロリド、ポリヘキサフルオロプロピレン、セルロースアセテート、コラーゲン、ゼラチン、キトサンまたはそれらのコポリマーなどである。無機材料は、例えば、酸化チタンなどである。中でも、繊維状構造体１６Ａの形成材料としては、高分子材料が好ましい。反応性（光反応性など）が低い（化学的に安定である）ため、繊維状構造体１６Ａの意図しない分解反応が抑制されるからである。なお、繊維状構造体１６Ａが高反応性の材料により形成されている場合には、その繊維状構造体１６Ａの表面は任意の保護層により被覆されていることが好ましい。
【００３８】
繊維状構造体１６Ａの形状（外観）は、上記したように繊維径に対して長さが十分に大きい繊維状であれば、特に限定されない。具体的には、直線状でもよいし、縮れていたり、途中で折れ曲がっていてもよい。また、一方向に延在しているだけに限らず、途中で１または２以上の方向に分岐していてもよい。この繊維状構造体１６Ａの形成方法は、特に限定されないが、例えば、相分離法、相反転法、静電（電界）紡糸法、溶融紡糸法、湿式紡糸法、乾式紡糸法、ゲル紡糸法、ゾルゲル法またはスプレー塗布法などであることが好ましい。繊維径に対して長さが十分に大きい繊維状物質を容易かつ安定に形成しやすいからである。
【００３９】
繊維状構造体１６Ａの平均繊維径は、特に限定されないが、できるだけ小さいことが好ましい。光が乱反射しやすくなると共に、細孔Ｈの平均孔径が大きくなるからである。ただし、平均繊維径は、繊維状構造体１６Ａが非泳動粒子１６Ｂを保持できるように決定されるとよい。このため、繊維状構造体１６Ａの平均繊維径は、１０μｍ以下であることが好ましい。なお、平均繊維径の下限は、特に限定されないが、例えば、０．１μｍであり、それ以下でもよい。この平均繊維径は、例えば、走査型電子顕微鏡（ＳＥＭ）などを用いた顕微鏡観察により測定される。なお、繊維状構造体１６Ａの平均長さは、任意でよい。
【００４０】
細孔Ｈの平均孔径は、特に限定されないが、できるだけ大きいことが好ましい。泳動粒子１７が細孔Ｈを通過しやすくなるからである。このため、細孔Ｈの平均孔径は、０．１μｍ〜１０μｍであることが好ましい。
【００４１】
多孔質層１６の厚さは、特に限定されないが、例えば、５μｍ〜１００μｍである。多孔質層１６の遮蔽性が高くなると共に、泳動粒子１７が細孔Ｈを通過しやすくなるからである。
【００４２】
特に、繊維状構造体１６Ａは、ナノファイバーであることが好ましい。立体構造が複雑化して外光が乱反射しやすくなるため、多孔質層１６の光反射率がより高くなると共に、多孔質層１６の単位体積中に占める細孔Ｈの体積の割合が大きくなるため、泳動粒子１７が細孔Ｈを通過しやすくなるからである。これにより、コントラストがより高くなると共に、泳動粒子１７の移動に要するエネルギーがより低くなる。ナノファイバーとは、繊維径が０．００１μｍ〜０．１μｍであると共に長さが繊維径の１００倍以上である繊維状物質である。ナノファイバーである繊維状構造体１６Ａは、高分子材料を用いて静電紡糸法により形成されていることが好ましい。繊維径が小さい繊維状構造体１６Ａを容易かつ安定に形成しやすいからである。
【００４３】
この繊維状構造体１６Ａは、泳動粒子１７とは異なる光学的反射特性を有していることが好ましい。具体的には、繊維状構造体１６Ａの光反射率は、特に限定されないが、少なくとも多孔質層１６が全体として泳動粒子１７を遮蔽可能となるように設定されることが好ましい。上記したように、泳動粒子１７の光反射率と多孔質層１６の光反射率との違いを利用してコントラストを生じさせるためである。
【００４４】
非泳動粒子１６Ｂは、繊維状構造体１６Ａに固定されており、電気的に泳動しない粒子である。この非泳動粒子１６Ｂの形成材料は、例えば、泳動粒子１７の形成材料と同様であり、後述するように、非泳動粒子１６Ｂが担う役割に応じて選択される。この非泳動粒子１６Ｂは、泳動粒子１７とは異なる光学的反射特性を有している。非泳動粒子１６Ｂの光反射率は、特に限定されないが、少なくとも多孔質層１６が全体として泳動粒子１７を遮蔽可能となるように設定されることが好ましい。上記したように、泳動粒子１７の光反射率と多孔質層１６の光反射率との違いを利用してコントラストを生じさせるためである。
【００４５】
ここで、非泳動粒子１６Ｂの具体的な形成材料は、例えば、コントラストを生じさせるために非泳動粒子１６Ｂが担う役割に応じて選択される。具体的には、非泳動粒子１６Ｂにより明表示される場合の材料は、明表示される場合に選択される泳動粒子１７の材料と同様である。一方、非泳動粒子１６Ｂにより暗表示される場合の材料は、暗表示される場合に選択される泳動粒子１７の材料と同様である。中でも、非泳動粒子１６Ｂにより明表示される場合に選択される材料としては、金属酸化物が好ましく、酸化チタンがより好ましい。電気化学的安定性および定着性などに優れていると共に、高い反射率が得られるからである。コントラストを生じさせることができれば、非泳動粒子１６Ｂの形成材料は、泳動粒子１７の形成材料と同じ種類でもよいし、違う種類でもよい。
【００４６】
なお、非泳動粒子１６Ｂにより明表示または暗表示される場合に視認される色は、泳動粒子１７が視認される色について説明した場合と同様である。
【００４７】
多孔質層１６の形成手順の一例は、以下の通りである。最初に、有機溶剤などに繊維状構造体１６Ａの形成材料（例えば高分子材料など）を分散または溶解させて、紡糸溶液を調製する。続いて、紡糸溶液に非泳動粒子１６Ｂを加えたのち、十分に攪拌して非泳動粒子１６Ｂを紡糸溶液中に分散させる。最後に、紡糸溶液を用いた静電紡糸法により紡糸を行う。これにより、繊維状構造体１６Ａにより非泳動粒子１６Ｂが保持され、多孔質層１６が形成される。
【００４８】
第２電極１９は、例えば透明導電膜により構成されている。透明導電膜としては、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）などが挙げられる。ここでは、第２電極１９は、例えば、全画素１０ａに共通の電極として、第２基板２０の一面に形成されているが、第１電極１３と同様に分割されていてもよい（複数、形成されていてもよい）。この第２電極１９は、各画素１０に共通の基準電位（共通電位Ｖcom）に保持されつつ表示駆動がなされる。また後述するように、所定の画像書き込み動作の際には、この共通電位Ｖcomがオフセットされるように構成されている。
【００４９】
第２基板２０は、第１基板１１と同様の材料により構成されている。但し、第２基板２０の上面に画像が表示されることから、第２基板２０には、光透過性を有する材料が用いられる。この第２基板２０の一面には、図示しないカラーフィルタが設けられていてもよいし、白および黒以外のカラーの粒子が用いられてもよい。
【００５０】
［駆動方法］
本実施の形態の表示装置１では、画素部１Ａを画素１０毎に電圧駆動することにより、上記のように、例えば泳動粒子１７の光反射率と多孔質層１６の光反射率との違いを利用してコントラストを生じさせ、明表示（白表示）、暗表示（黒表示）または階調表示を行うことができる。具体的には、第２電極１９が共通電位Ｖcomに保持されつつ、第１電極１３に表示用の電圧（電位Ｖｓ）が信号線ＤＬを通じて印加されることで、これらの第１電極１３と第２電極１９との間に生じた電位差に応じて、表示体１０Ａの電圧が印加される。この印加電圧の大きさおよび極性に応じて泳動粒子１７が、第１電極１３と第２電極１９との間を移動する。これにより、例えば泳動粒子１７の光反射特性と多孔質層１６の光反射特性とのいずれかを支配的に利用して、または両方を利用して、画素１０毎の光反射率を変化させ、上記のような白、黒または階調の表示状態を画素１０毎に切り替える。これにより、画素部１Ａに画像が表示される。
【００５１】
図４に、表示装置１の表示動作の一例について模式的に示す。このように、例えば第２電極１９を共通電位Ｖcom（例えば０Ｖ）に保持しつつ、各第１電極１３には、正極性の電位（ここでは一例として＋１５Ｖとする）または負極性の電位（ここでは一例として−１５Ｖとする）が与えられる。あるいは、第１電極１３には、０Ｖが印加されてもよい。これにより、画素１０毎に、第１電極１３および第２電極１９間に電位差が生じ、表示体１０Ａには正極性，負極性または０Ｖの電圧が印加される。この結果、正または負（ここでは例えば負）に帯電した泳動粒子１７が、第１電極１３側または第２電極１９側へ移動する。
【００５２】
この例では、第１電極１３に＋１５Ｖが印加された画素１０では、泳動粒子１７が第１電極１３側へ移動することにより、泳動粒子１７が多孔質層１６によって遮蔽される。即ち、多孔質層１６の光反射率が支配的となり、多孔質層１６の光反射率に対応した表示状態（以下では、一例として白表示状態として説明する）となる。一方で、第１電極１３に−１５Ｖが印加された画素１０では、泳動粒子１７が第２電極１９側へ移動することにより、泳動粒子１７が多孔質層１６から露出する。即ち、泳動粒子１７の光反射率が支配的となり、泳動粒子１７の光反射率に対応した表示状態（以下では、一例として黒表示状態として説明する）となる。なお、０Ｖの印加理由については後述する。
【００５３】
但し、電気泳動型の表示装置１では、白表示から黒表示、または黒表示から白表示へ移行する際に、表示体１０Ａの光学応答特性に応じて、時系列で光反射率が変化する性質を持つ。この光反射率の“立ち上がり”または“立ち下がり”を考慮した電圧駆動を行うことが望ましい。即ち、所望の表示状態を達成するために、例えば数フレームから数１０フレームに相当する期間（以下、「書き込み期間」と称する）を、画像表示または画像書き換えの単位期間として、印加電圧波形（例えば電圧印加時間およびタイミングなど）が設定される。また、この書き込み期間中に所定のタイミングで０Ｖを印加することも有効である。このように、電圧印加の時間やタイミングなどを適切に設定することにより、１つの書き込み期間の終了時には、所望の表示状態となるような駆動を行う。以下に、この駆動動作の一例として、黒表示から白表示へ移行する（切り替える）場合の駆動動作について説明する。
【００５４】
（基本的な表示駆動動作：階調表示）
まず、図４，図５Ａおよび図５Ｂを参照して、表示装置１の基本的な表示駆動について説明する。なお、図５Ａにおいて、（Ｖｓ）は信号線ＤＬに印加される電圧波形を、（Ｖｇ１），（Ｖｇ２），…（Ｖｇｎ）は、１〜ｎライン目の走査線ＧＬに印加される電圧波形を、それぞれ示している。また、本明細書においては、１つのフレーム（１フレーム期間Ｈ）が、走査期間Ｈｖ（全ての走査線ＧＬを線順次で走査するのに要する時間）と垂直ブランキング期間ＨＢＬとを含むものとする。フレーム周波数は、例えば４０〜１００Ｈｚであり、１フレーム期間Ｈは、例えば１０〜２５ｍｓ（ミリ秒）である。また、垂直ブランキング期間ＨＢＬは、例えば０．１〜４ｍｓ程度に設定される。なお、本明細書では、走査線ＧＬに印加される電圧波形の一例として、ｎ型のＴＦＴ素子を用いた場合の波形を示すが、ｐ型のＴＦＴ素子を用いた場合には、オン／オフの切り替えの電圧波形は図示したものと反転する。
【００５５】
このように、１フレーム期間Ｈ（ここではＮｏ．９フレーム）において、信号線ＤＬに電位Ｖsigが印加される一方で、各走査線ＧＬには線順次でオン電位Ｖonが印加される。これにより、選択された画素１０では、ＴＦＴ素子を介して、電位Ｖsigに応じた表示用の電圧が表示体１０Ａに印加される。詳細には、例えば１ライン目の走査線ＧＬにオン電位Ｖonが印加されることで、１ライン目の画素１０のＴＦＴ素子がオン状態となり、その時の信号線ＤＬの電位Ｖsigが選択され、第１電極１３に印加される。一方、第２電極１９は共通電位Ｖcomに保持されている。これにより、表示体１０Ａには、第１電極１３および第２電極１９間の電位差に応じた電圧が印加され、この印加電圧は、ＴＦＴ素子がオフ状態となった後（オフ電位Ｖoffが印加された後）も、画素１０内に形成された容量成分によって保持される。このような動作が画素１０毎に行われ、容量成分により保持された電圧（第１電極１３と第２電極１９との間の電位差に相当）によって、電気泳動表示素子が画素１０毎に駆動される。各画素１０では、その印加電圧に応じて、上述したように泳動粒子１７が電極間を移動し、光反射率が変化する。このような電圧駆動が複数フレームにわたって連続して行われる。
【００５６】
図５Ｂに、一例として、表示体１０Ａに印加される電圧波形とそれに応じた光学応答波形（光反射率の時間的変化）について模式的に示す。例えば、電圧波形Ｖ１１のように、フレーム１〜４において連続的に正極性の電圧を印加したのち、フレーム５〜１２において連続的に負極性の電圧を印加する駆動を行った場合、表示体１０Ａの光学応答特性は、例えば波形Ｓ１１を示す。即ち、フレーム１の開始時点からフレーム４の終了時点にかけて、光反射率が徐々に上昇し（立ち上がり）、黒表示状態から白表示状態へ移行する。また、フレーム５の開始時点からフレーム１２の終了時点にかけて、光反射率が徐々に減少し（立ち下がり）、白表示状態から黒表示状態へ移行する。
【００５７】
他方、電圧波形Ｖ１２のように、小刻みに印加電圧を変化させてもよい。例えば、フレーム（ｎ−６），（ｎ−５）において連続的に正極性の電圧を印加したのち、フレーム（ｎ−４），（ｎ−３）において０Ｖを印加する。その後、フレーム（ｎ−２），（ｎ−１）においてに連続的に負極性の電圧を印加し、最後のフレーム（ｎ）において再び０Ｖを印加する。このような駆動を行った場合、表示体１０Ａの光学応答特性は、例えば波形Ｓ１２を示す。即ち、フレーム（ｎ−６）の開始時点からフレーム（ｎ−５）の終了時点にかけて、光反射率が徐々に上昇し、例えば階調表示状態から白表示状態へ移行する。また、フレーム（ｎ−４）の開始時点からフレーム（ｎ−３）の終了時点までは、直前フレームの表示状態（白表示状態）が維持される。その後、フレーム（ｎ−２）の開始時点からフレーム（ｎ−１）の終了時点にかけて、光反射率が徐々に減少し、白表示状態から階調表示状態へ移行する。フレーム（ｎ）では、その直前のフレームの表示状態（階調表示状態）が維持される。
【００５８】
図６に、上記のような電圧印加に対するフレームの階調変化のイメージを示す。このように、電圧波形Ｖ１３として、例えばフレーム１〜９に相当する期間Ｔ１に正極性の電圧を連続して印加したのち、フレーム１０，１１に相当する期間Ｔ２に負極性の電圧を連続して印加し、続いてフレーム１２に相当する期間Ｔ３に０Ｖを印加し、フレーム１３に相当する期間Ｔ４に負極性の電圧を印加する。この場合、フレーム１〜１３に模式的に示したような階調変化を生じる。このように、フレーム単位でのパルス幅変調（ＰＭＷ：Pulse Width Modulation）方式により、階調表示が可能である。
【００５９】
上記のように、表示体１０Ａ（電気泳動表示素子）を含む画素部１Ａにおける画像表示または画像切り替えの際には、書き込み期間毎に、正極性電圧、負極性電圧および０Ｖなどを組み合わせた電圧波形を、表示体１０Ａの光学応答特性に応じて設定する。ここで説明した例では、正極性の電圧印加により、白表示状態に向かって表示を切り替え、負極性の電圧印加により、黒表示状態に向かって表示を切り替えることができる。
【００６０】
（０Ｖ印加による効果）
これらの正極性電圧および負極性電圧に加え、更に０Ｖの印加を組み合わせることで、より極め細やかな階調表示を実現できる。図７Ａ〜図７Ｄに、一例として、黒表示状態から、白表示状態または低階調状態への切り替えの際の電圧波形を示す。図７Ａの例では、１書き込み期間Ｗの全フレーム（例えば５００ｍｓ）において正極性電圧を印加している。このような電圧印加により、極限の黒表示状態（全黒表示状態）から極限の白表示状態（全白表示状態）へ切り替えることができる。図７Ｂの例では、１書き込み期間Ｗのうちの前半の期間Ｔ５において正極性電圧を印加し、その後の期間Ｔ６では０Ｖを印加している（例えば、Ｔ５＜Ｔ６）。図７Ｃの例では、１書き込み期間Ｗのうちの間欠的なフレームにおいて正極性電圧を印加し、その他のフレームでは０Ｖを印加している（正極性電圧と０Ｖとを交互に繰り返し印加している）。図７Ｄの例では、１書き込み期間Ｗのうちの前半の期間Ｔ７において正極性電圧を印加し、その後の期間Ｔ８において負極性電圧を印加している（例えば、Ｔ７＞Ｔ８）。これらの図７Ｂないし図７Ｄに示した例では、いずれも、全黒表示状態から低階調状態へ切り替えることができる。このように、階調表示のための印加電圧波形のパターンは複数あり、例示したものに限定されるものではない。
【００６１】
また、書き込み期間の最終フレームに０Ｖを印加することにより、以下のようなメリットがある。図８Ａに、書き込み期間Ｗの最終フレームｆＥＮに０Ｖを印加する場合の電圧波形Ｖｇ，Ｖｓと、その印加電圧に対する表示体１０Ａの光学応答特性の波形Ｓ２１とを示す。また、図８Ｂには、比較例として、書き込み期間Ｗの最終フレームｆＥＮに０Ｖを印加しない場合の電圧波形Ｖｇ，Ｖｓと、その印加電圧に対する表示体１０Ａの光学応答特性の波形Ｓ２２とを示す。なお、図８Ａおよび図８Ｂにおいて、画素１０の容量成分（Ｃｓ）に保持された電圧チャージ分を斜線で示す。図８Ｂに示した比較例では、最終フレームｆＥＮにおいて、その直前のフレームで印加された電圧が容量成分Ｃｓに残る。このため、表示体１０Ａには電圧が印加され続けることとなり、光反射率が上昇し続ける。このため、所望の光反射率を得にくい。これに対し、図８Ａに示したように、最終フレームｆＥＮに０Ｖを印加した場合、最終フレームｆＥＮでは、容量成分Ｃｓがディスチャージされ、その直前のフレーム終了時点での光反射率が維持される。このため、所望の光反射率を得易い。つまり、印加電圧×時間による階調制御が容易となる。このように、ＴＦＴ素子を用いた電圧駆動においては、書き込み期間Ｗの最終フレームにおいて０Ｖを印加することが望ましい。
【００６２】
更に、次のような場合においても、０Ｖを印加することは有効である。図９Ａおよび図９Ｂに、表示画面のうちの一部において表示画像を書き換える動作（部分書き換え動作）について模式的に示す。図９Ａの例は、０Ｖを用いない場合の例であり、表示画面Ｄ０のうち一部の領域Ｄ１のみの画像を変更する場合であっても、画像を変更しない領域Ｄ２も含めた全画面で走査がなされ、正極性電圧または負極性電圧が全画素１０に印加される。これに対し、図９Ｂに示した例では、表示画面Ｄ０のうちの領域Ｄ１においてのみ正極性電圧または負極性電圧が印加され、領域Ｄ２では０Ｖが印加される。このように、部分書き換え時に０Ｖを用いることで、消費電力の低減と目視刺激の低減とにつながる。このため、表示体１０Ａでは、０Ｖ印加時においても光学応答特性が変化しない特性（メモリー性）をもつことが望ましい。
【００６３】
また、電気泳動型の表示装置１では、１つの画像の書き込みが終わると、一旦電源を落とし（オフにし）、その後新しく書き換えを行う際に再び電源をオンにして、使用される。つまり、電気泳動表示素子では、書き込み後、画素１０への電圧供給が一旦停止することから、書き込み後に反射率（輝度）の低下が発生し得る。このような輝度の低下を補正するため、白黒の切り替えを行った後に階調調整を行う場合もある。更に、画面全体での白表示および黒表示の書き込みは、ユーザに不快感を与えることもあるため、できるだけ書き込みの領域は少ないことが望ましい。具体的には、表示画面全体のうち、複数の書き込み期間にわたって同じ画像が表示される部分は、書き換え（新たな書き込み）を行わないようにすることで、以下に説明するようなバックグラウンドの領域が多い画像を出力する場合には、ユーザの不快感を大幅に低減することができる。
【００６４】
（部分書き換え時の共通電位オフセット動作）
上記のような部分書き換えの際には、画素部１Ａによって表示される画像のうち、例えばバックグラウンド（背景）部（第１領域）において、白または黒の表示状態を保持しつつ、一部の領域（第２領域）の画像を書き換える場合がある。以下、このような場合の表示駆動動作の一例について説明する。
【００６５】
図１０Ａは、所定の書き込み期間（書き込み期間Ｗ１：第１書き込み期間）後に表示された画像の一例（時計の画像）を模式的に表したものである。この例では、例えば表示画面３０（画素部１Ａ）のうちの大半を占めるバックグラウンド部３１が例えば白表示状態となっている。時計の外周部、長針および短針を表す図画部３２では、例えば黒表示状態となっている。
【００６６】
このような時計の画像を書き込み期間Ｗ１において表示し、この書き込み期間Ｗ１に時間的に連続する書き込み期間（書き込み期間Ｗ２：第２書き込み期間）において、１分経過後の針（ここでは長針部分）が動いた画像を表示する場合について説明する。
【００６７】
図１０Ｂは、比較例に係る表示書き換え動作を説明するための模式図である。このように、書き込み期間Ｗ２において、例えば長針部分のみが動いたような画像を表示する場合には、例えばバックグラウンド部３１と、図画部３２の一部１０２ａ（例えば時計の外周部と短針に相当する部分）との書き換えは行わずに、図画部３２のうちの長針に相当する部分のみを変更する。この際、書き込み期間Ｗ１において長針が表示されていた部分（消去部分１０２ｂ）は、黒表示状態から白表示状態に書き換えられる。一方、書き込み期間Ｗ１においてバックグラウンド部３１の一部であった白表示部分（書き込み部分１０２ｃ）が、白表示状態から黒表示状態に書き換えられる。書き込み部分１０２ｃ以外のバックグラウンド部３１では、上記の理由から新たな書き込みはなされず、白表示状態が保持される。
【００６８】
ところが、上記のように、電気泳動表示素子では、書き込み毎に電源が一旦オフされると共に、印加電圧に対する光反射率が時系列で（経過時間に応じて）変化する。このため、書き込み期間Ｗ２において新たに白表示用の電圧が印加された消去部分１０２ｂと、書き込み期間Ｗ２よりも前に印加された電圧によって白表示状態を保持するバックグラウンド部３１では、光反射率が異なるものとなり、輝度差が生じる。具体的には、バックグラウンド部３１では、光反射率が消去部分１０２ｂよりも低くなり、輝度が低下する。この輝度差に起因して、ユーザには残像が視認される。
【００６９】
そこで、本実施の形態では、上記のような部分書き換え動作の際に、図１１Ａおよび図１１Ｂに示したように、書き込み期間Ｗ１から書き込み期間Ｗ２への切り替えの際に、バックグラウンド部３１の表示状態（白または黒の表示状態）に応じて、共通電位Ｖcomをオフセットする駆動を行う。具体的には、まず、駆動装置２が、バックグラウンド部３１の表示状態を識別し、その表示状態に切り替える（移行する）方向に共通電位Ｖcomをオフセットする。換言すると、バックグラウンド部３１に保持されている電圧を嵩上げするように共通電位Ｖcomの電位をずらす。例えば、バックグラウンド部３１が白表示状態に保持されている場合には、白表示の方向（黒い泳動粒子１７が負に帯電している場合には、負側）に、共通電位Ｖcomをオフセットさせる（図１１Ｃ）。
【００７０】
これにより、図１１Ｂに模式的に示したように、バックグラウンド部３１の光反射率の低下が抑制される。このため、書き込み期間Ｗ２では、バックグラウンド部３１と、黒表示状態から白表示状態への書き込みがなされた消去部分３２ｂとの間において輝度差が低減し、上記比較例のような残存の発生を抑えることができる。また、コントラスト比の高い画像表示を実現することができる。尚、書き込み部分３２ｃについては、上記比較例の書き込み部分１０２ｃと同様、バックグラウンド部３１の一部に相当し、書き込み期間Ｗ２において、白表示状態から黒表示状態へ書き換えられる。これらの消去部分３２ｂと書き込み部分３２ｃとが、本開示の「第２領域」の一具体例に相当する。
【００７１】
共通電位Ｖcomのオフセット量は、表示体１０Ａの光学応答特性およびメモリー性などに応じて適宜設定されればよいが、例えば５Ｖ未満に設定されることが望ましい。反射率の時間的変化の一例を図１２に示す。このように、１０分後の反射率変化を１％以内とすることが望ましい。この場合のオフセット量は、例えば１〜４Ｖ程度に設定されるとよい。また、長時間の保存を考える場合には、１０分後の反射率変化が０．５％以内にすることが望ましい。この特性は、表示体１０Ａによって異なるが、オフセット量を５Ｖ未満に設定することが望ましい。
【００７２】
（書き込み期間Ｗ２の終端電圧設定）
共通電位Ｖcomのオフセット駆動をした場合には、上述のように白表示領域（バックグラウンド部３１と同じ表示状態の領域）の光反射率は所望のものとなるが、逆に黒表示領域（バックグラウンド部３１と異なる表示状態の領域）については、特性が劣化してしまう。図１１Ｂに模式的に示したように、本来、黒を表示したい図画部３２（外周部，短針部分などの部分３２ａおよび書き込み部分３２ｃ（長針部分））の色が薄くなる。尚、逆に、バックグラウンド部３１の表示状態が黒表示である場合には、この黒表示を安定させる方向に共通電位Ｖcomをオフセットさせることから、白表示の保持特性が不安定となる。
【００７３】
ここで、書き込み期間Ｗ２の最終フレームにおける駆動について説明する。書き込み期間Ｗ２の最終フレームでは、図１３Ａに示したように、共通電位Ｖcomに０Ｖ、ソース電位（位置Ｐ１における電位）が０Ｖとなっている状態で、ＴＦＴ素子１２Ａがオフ状態とされる。この場合、図１３Ｂに示したように、まず信号線ＤＬの電位（ソース電位Ｖｓ）を基準電位に落としたのち、共通電位Ｖcomを０Ｖに戻し、最後にＴＦＴ素子１２Ａをオフ状態に切り替える（走査線ＧＬの電位Ｖｇをオフ電位に落とす）。このようにして書き込み期間Ｗ２を終了する。
【００７４】
この書き込み期間Ｗ２の最終フレームにおいて、黒表示の図画部３２（外周部，短針部分，書き込み部分３２ｃ）を安定化させるために、白表示状態のバックグラウンド部３１と黒表示状態の図画部３２とのそれぞれにおいて、次のような駆動を行うことが望ましい。
【００７５】
（駆動例１）
例えば、共通電位Ｖcomをオフセット後の電位に保持した状態で、ＴＦＴ素子をオフ状態とする駆動例について説明する。図１４Ａ，図１４Ｂは、バックグラウンド部３１（白表示領域）における、書き込み期間Ｗ２の終了時の電位状態を説明するための図である。図１５Ａ，図１５Ｂは、図画部３２（黒表示領域）における、書き込み期間Ｗ２の終了時の電位状態を説明するための図である。図１４Ａ，図１４Ｂに示したように、バックグラウンド部３１では、書き込み期間Ｗ２の最終フレームにおいて、ソース電位Ｖｓを０Ｖに落としたのち、共通電位Ｖcomの電位（例えば−２Ｖ）を維持したまま、ＴＦＴ素子をオフ状態にする。一方で、図１５Ａ，図１５Ｂに示したように、図画部３２では、書き込み期間Ｗ２の最終フレームにおいて、ソース電位Ｖｓとして、共通電位Ｖcomのオフセット量の少なくとも一部をキャンセルする（相殺する）電位（例えば−２Ｖ）を第１電極１３に印加したのち、ＴＦＴ素子をオフ状態にする。このとき、共通電位Ｖcomはオフセット後の電位（例えば−２Ｖ）のまま維持される。尚、図画部３２において第１電極１３に印加される電位（位置Ｐ１における電位）は、特に限定されず、バックグラウンド部３１と反対方向の電位差が発生するような電位であればよく、例えば−１５Ｖであってもよい。
【００７６】
（駆動例２）
あるいは、共通電位Ｖcomを０Ｖに戻してから、ＴＦＴ素子をオフ状態としてもよい。図１６Ａ，図１６Ｂは、バックグラウンド部３１（白表示領域）における、書き込み期間Ｗ２の終了時の電位状態を説明するための図である。図１７Ａ，図１７Ｂは、図画部３２（黒表示領域）における、書き込み期間Ｗ２の終了時の電位状態を説明するための図である。図１６Ａ，図１６Ｂに示したように、バックグラウンド部３１では、書き込み期間Ｗ２の最終フレームにおいて、共通電位Ｖcomの電位を０Ｖに戻すと共に、ソース電位Ｖｓとして、共通電位Ｖcomのオフセット時と同等以上の電位差を生じさせる電位（例えば＋２Ｖ，＋１５Ｖなど）を、第１電極１３に印加する。こののちに、ＴＦＴ素子をオフ状態にする。一方で、図１７Ａ，図１７Ｂに示したように、図画部３２では、図１３Ａおよび図１３Ｂの場合と同様に、ソース電位Ｖｓを０Ｖに落としたのち、共通電位Ｖcomを０Ｖに戻し、最後にＴＦＴ素子１２Ａをオフ状態に切り替える。
【００７７】
（書き込み時間および印加電圧波形の設定例）
上述したように、書き込み期間Ｗ２において、画像の部分的な書き換えを行う場合には、図１１Ｂに示したように、消去部分３２ｂと、書き込み部分３２ｃとを書き換える（白から黒、または黒から白へ表示状態を切り替える）駆動を行う。この際、消去部分３２ｂでは、黒から白への表示状態の切り替えとなるため、バックグラウンド部３１と色がほぼ同じとなる。このため、消去部分３２ｂについては、経過時間を考慮する必要は少ない。ところが、書き込み部分３２ｃでは、白から黒への表示状態の切り替えとなる。このため、白表示時のＤＣバランスが大幅にずれていることとなる。
【００７８】
したがって、書き込み期間Ｗ２の直前までの（更新あるいは書き換え前の）書き込み部分３２ｃに相当する領域における白表示状態の継続時間に応じて、書き込み期間Ｗ２の長さを変化させるとよい。図１８にその一例を示す。例えば、１０分後に更新される（書き換えがなされる）場合（白表示状態の継続時間が１０分である場合）には、書き込み期間Ｗ２を１１フレーム相当に設定する。また、３０分後に更新される場合（白表示状態の継続時間が３０分である場合）には、書き込み期間Ｗ２を１４フレーム相当に設定する。あるいは、１時間後に更新される場合（白表示状態の継続時間が１時間である場合）には、書き込み期間Ｗ２を２５フレーム相当に設定する。
【００７９】
あるいは、書き込み期間Ｗ２の直前までの（更新あるいは書き換え前の）書き込み部分３２ｃに相当する領域における白表示状態の継続時間に応じて、印加電圧波形を変化させてもよい。図１９に、その一例を示す。例えば、１０分後に更新される場合（白表示状態の継続時間が１０分である場合）には、書き込み期間Ｗ２において２回フラッシングする（黒から白、白から黒の表示切り替えを２回行う）ように、電圧波形を設定する。また、３０分後に更新される場合（白表示状態の継続時間が３０分である場合）には、書き込み期間Ｗ２において３回フラッシングする（黒から白、白から黒の表示切り替えを３回行う）ように、電圧波形を設定する。あるいは、１時間後に更新される場合（白表示状態の継続時間が１時間である場合）には、書き込み期間Ｗ２において５回フラッシングする（黒から白、白から黒の表示切り替えを５回行う）ような電圧波形を設定する。
【００８０】
このように、書き込み部分３２ｃの書き換えに関して、書き込み期間Ｗ２の長さおよび印加電圧波形を更新時間に応じて設定することにより、書き替え後の黒表示の変化を抑制することができる。また、これによって、バックグラウンド部３１の色（白表示）の変化を抑制できることから、残像抑制効果も期待できる。
【００８１】
また、書き込み期間Ｗ２の長さと、共通電位Ｖcomのオフセット量とに応じて、ＤＣバランスを信号処理により補正するようにしてもよい。
【００８２】
以上説明したように本実施の形態では、電気泳動表示素子を有する画素部１Ａにおいて、複数の第１電極１３と第２電極１９とを通じて印加される電圧に応じて、白、黒または階調の表示状態が切り替えられる。このとき、１または複数のフレーム期間からなる書き込み期間において、第１電極１３に印加する表示用の電圧（ソース電位Ｖｓ）を変化させつつ第２電極１９を共通電位（Ｖcom）に保持することで、表示状態が切り替えられ、画像が切り替えられる（画像が更新される）。書き込み期間Ｗ１において、画素部１Ａにおける第１領域（例えばバックグラウンド部３１に相当）が白表示状態を有すると共に、書き込み期間Ｗ１から時間的に連続する書き込み期間Ｗ２への切り替えの際に、バックグラウンド部３１において白表示状態を保持しつつ、画素部１Ａの第２領域（例えば、消去部分３２ｂおよび書き込み部分３２ｃに相当）の画像を変化させる場合に、共通電位を、バックグラウンド部３１に印加されている電圧（白表示用の電圧）を嵩上げする方向にオフセットさせる。これにより、バックグラウンド部３１において、時間経過に伴う反射率変化を補うことができ、残像の発生を抑制すると共に、コントラスト比の低下を抑制することができる。よって、表示性能を向上させることが可能となる。
【００８３】
以下、上記実施の形態の変形例について説明する。以下では、上記実施の形態と同様の構成要素については同一の符号を付し、適宜説明を省略する。
【００８４】
＜変形例＞
図２０は、上記実施の形態の変形例に係る表示装置の要部構成を表したものである。上記実施の形態では、ＴＦＴ素子を用いたアクティブマトリクス駆動方式により表示駆動を行う場合の構成例を示したが、本開示の表示装置および駆動方法は、ＴＦＴ素子を用いない駆動方式にも適用可能である。例えば、パッシブマトリクス駆動方式あるいはセグメント駆動方式などが挙げられる。この場合、図２０に示したように、基板１１上に複数の第１電極１３が形成され、封止層１４によって覆われている。この封止層１４上には、上記第１の実施の形態と同様、表示体１０Ａ、第２電極１９および第２基板２０が配置されている。また、表示体１０Ａは隔壁１８によって複数の領域に分割されている。
【００８５】
本変形例においても、第１電極１３にソース電位Ｖｓに対応する電圧が印加され、第２電極１９が共通電位Ｖcomに保持されることで、これらの電位差に対応した電圧が表示体１０Ａに印加される。これにより、表示体１０Ａでは、印加電圧に応じて光反射率が時系列で変化し、白表示，黒表示および階調表示がなされる。このとき、上記実施の形態と同様、部分書き換えを行う場合には、書き込み期間Ｗ１から書き込み期間Ｗ２への切り替えの際に、共通電位Ｖcomを所定の方向にオフセットすることで、バックグラウンド部分の光反射率変化を抑え、コントラスト比の低下を抑制することができる。よって、上記実施の形態とほぼ同等の効果を得ることができる。
【００８６】
＜適用例＞
次に、上述の実施の形態および変形例において説明した表示装置の適用例について説明する。ただし、以下で説明する電子機器の構成はあくまで一例であり、その構成は適宜変更可能である。
【００８７】
図２１Ａおよび図２１Ｂは、適用例に係る電子ブック（電子ブック３）の外観構成を表している。この電子ブック３は、例えば、表示部８１０および非表示部（筐体）８２０と、操作部８３０とを備えている。なお、操作部８３０は、図２１Ａに示したように非表示部８２０の前面に設けられていてもよいし、図２１Ｂに示したように上面に設けられていてもよい。
【００８８】
以上、実施形態を挙げて本開示を説明したが、本開示は実施形態で説明した態様に限定されず、種々の変形が可能である。例えば、本開示の表示装置は、上記以外の電子機器に適用されてもよい。尚、上記実施の形態等において説明した効果は一例であり、本開示の効果は、他の効果であってもよいし、更に他の効果を含んでいてもよい。
【００８９】
尚、本開示内容は以下のような構成であってもよい。
（１）
複数の第１電極と第２電極との間に設けられると共に、印加電圧に応じて、白、黒または階調の表示状態を切り替えて画像を表示することが可能な電気泳動表示素子を有する表示部と、
１または複数のフレーム期間からなる書き込み期間において、前記第１電極に印加する電圧を変化させつつ前記第２電極を共通電位に保持して、前記表示部を表示駆動する駆動回路と
を備え、
前記駆動回路は、
第１の書き込み期間において、前記表示部の第１領域が白または黒の第１の表示状態を有すると共に、前記第１の書き込み期間から時間的に連続する第２の書き込み期間への切り替えの際に、前記表示部の第１領域において前記第１の表示状態を保持しつつ、前記表示部の第２領域の画像を変化させる場合に、
前記共通電位を、前記表示部の前記第１領域に保持されている電圧を嵩上げする方向にオフセットさせる
ように構成された
表示装置。
（２）
前記第１の書き込み期間において前記第２領域が前記第１の表示状態とは異なる第２の表示状態を有し、
前記駆動回路は、
前記第２の書き込み期間において、前記表示部の前記第１領域を前記第１の表示状態に保持しつつ、前記第２領域を前記第１の表示状態に変化させる
上記（１）に記載の表示装置。
（３）
前記複数の第１電極の各々に接続されたＴＦＴ素子を備え、
前記駆動回路は、前記第２の書き込み期間の最終のフレーム期間において、
前記共通電位を前記オフセット後の電位に保持しつつ、前記表示部のうちの前記第１の表示状態とは異なる第２の表示状態を有する領域における前記第１電極に対し、前記共通電位のオフセット量の少なくとも一部をキャンセルする電圧を印加した後、前記ＴＦＴ素子をオフ状態に切り替える
上記（１）または（２）に記載の表示装置。
（４）
前記複数の第１電極の各々に接続されたＴＦＴ素子を備え、
前記駆動回路は、前記第２の書き込み期間の最終のフレーム期間において、
前記共通電位を前記オフセット前の電位に切り替えると共に、前記表示部のうちの前記第１の表示状態を有する領域における前記第１電極に対し、前記共通電位のオフセット時と同等以上の電位差を生じさせる電圧を印加した後、前記ＴＦＴ素子をオフ状態に切り替える
上記（１）または（２）に記載の表示装置。
（５）
前記共通電位のオフセット量は５Ｖ未満である
上記（１）〜（４）のいずれかに記載の表示装置。
（６）
前記駆動回路は、
前記第２の書き込み期間において、前記表示部の前記第１領域を前記第１の表示状態に保持しつつ、前記第２領域として前記第１領域の一部を前記第１の表示状態とは異なる第２の表示状態に変化させる
上記（１）に記載の表示装置。
（７）
前記駆動回路は、前記第２の書き込み期間の長さを、前記第２の書き込み期間の直前までの前記第１の表示状態の継続時間に応じて変化させる
上記（６）に記載の表示装置。
（８）
前記駆動回路は、前記第２の書き込み期間における前記第２領域に対する印加電圧波形を、前記第２の書き込み期間の直前までの前記第１の表示状態の継続時間に応じて変化させる
上記（６）または（７）のいずれかに記載の表示装置。
（９）
前記駆動回路は、前記第２の書き込み期間の長さと、前記共通電位のオフセット量とに応じて、ＤＣバランスを補正する
上記（６）〜（８）のいずれかに記載の表示装置。
（１０）
前記第１の表示状態は白表示状態であり、前記第２の表示状態は黒表示状態である
上記（１）〜（９）のいずれかに記載の表示装置。
（１１）
複数の第１電極と第２電極との間に設けられ、白、黒または階調の表示状態を切り替えて画像を表示することが可能な電気泳動表示素子を有する表示部に対し、１または複数のフレーム期間からなる書き込み期間において、前記第１電極に印加する電圧を変化させると共に前記第２電極を共通電位に保持して、前記表示部を表示駆動する際に、
第１の書き込み期間において、前記表示部の第１領域が白または黒の第１の表示状態を有すると共に、前記第１の書き込み期間から時間的に連続する第２の書き込み期間への切り替えの際に、前記表示部の第１領域において前記第１の表示状態を保持しつつ、前記表示部の第２領域の画像を変化させる場合に、
前記共通電位を、前記表示部の前記第１領域に印加されている電圧を嵩上げする方向にオフセットさせる
駆動方法。
（１２）
前記第１の書き込み期間において前記第２領域が前記第１の表示状態とは異なる第２の表示状態を有する場合に、
前記第２の書き込み期間において、前記表示部の前記第１領域を前記第１の表示状態に保持しつつ、前記第２領域を前記第１の表示状態に変化させる
上記（１１）に記載の駆動方法。
（１３）
前記第２の書き込み期間の最終のフレーム期間において、
前記共通電位を前記オフセット後の電位に保持しつつ、前記表示部のうちの前記第１の表示状態とは異なる第２の表示状態を有する領域における前記第１電極に対し、前記共通電位のオフセット量の少なくとも一部をキャンセルする電圧を印加した後、前記複数の第１電極の各々に接続されたＴＦＴ素子をオフ状態に切り替える
上記（１１）または（１２）に記載の駆動方法。
（１４）
前記第２の書き込み期間の最終のフレーム期間において、
前記共通電位を前記オフセット前の電位に切り替えると共に、前記表示部のうちの前記第１の表示状態を有する領域における前記第１電極に対し、前記共通電位のオフセット時と同等以上の電位差を生じさせる電圧を印加した後、前記複数の第１電極の各々に接続されたＴＦＴ素子をオフ状態に切り替える
上記（１１）または（１２）に記載の駆動方法。
（１５）
前記共通電位のオフセット量は５Ｖ未満である
上記（１１）〜（１４）のいずれかに記載の駆動方法。
（１６）
前記第２の書き込み期間において、前記表示部の前記第１領域は前記第１の表示状態に保持しつつ、前記第２領域として前記第１領域の一部を前記第１の表示状態とは異なる第２の表示状態に変化させる
上記（１１）に記載の駆動方法。
（１７）
前記第２の書き込み期間の長さを、前記第２の書き込み期間の直前までの前記第１の表示状態の継続時間に応じて変化させる
上記（１６）に記載の駆動方法。
（１８）
前記第２の書き込み期間における前記第２領域に対する印加電圧波形を、前記第２の書き込み期間の直前までの前記第１の表示状態の継続時間に応じて変化させる
上記（１６）または（１７）に記載の駆動方法。
（１９）
前記第２の書き込み期間の長さと、前記共通電位のオフセット量とに応じて、ＤＣバランスを補正する
上記（１６）〜（１８）のいずれかに記載の駆動方法。
（２０）
複数の第１電極と第２電極との間に設けられると共に、印加電圧に応じて、白、黒または階調の表示状態を切り替えて画像を表示することが可能な電気泳動表示素子を有する表示部と、
１または複数のフレーム期間からなる書き込み期間において、前記第１電極に印加する電圧を変化させつつ前記第２電極を共通電位に保持して、前記表示部を表示駆動する駆動回路と
を備え、
前記駆動回路は、
第１の書き込み期間において、前記表示部の第１領域が白または黒の第１の表示状態を有すると共に、前記第１の書き込み期間から時間的に連続する第２の書き込み期間への切り替えの際に、前記表示部の第１領域において前記第１の表示状態を保持しつつ、前記表示部の第２領域の画像を変化させる場合に、
前記共通電位を、前記表示部の前記第１領域に印加されている電圧を嵩上げする方向にオフセットさせる
ように構成された
表示装置を有する電子機器。
【符号の説明】
【００９０】
１…表示装置、２…駆動装置、１Ａ…画素部、１０…画素、１０Ａ…表示体、１１…第１基板、１２…ＴＦＴ層、１３…第２電極、１４…封止層、１５…絶縁性液体、１６…多孔質層、１７…泳動粒子、１８…隔壁、１９…第２電極、２０…第２基板、３０…表示画面、３１…バックグラウンド部、３２…図画部、３２ｂ…消去部分、３２ｃ…書き込み部分、Ｗ１，Ｗ２…書き込み期間、Ｈ…フレーム期間。
【図１】
2016099587.tif 000003
【図２】
2016099587.tif 000004
【図３】
2016099587.tif 000005
【図４】
2016099587.tif 000006
【図５Ａ】
2016099587.tif 000007
【図５Ｂ】
2016099587.tif 000008
【図６】
2016099587.tif 000009
【図７Ａ】
2016099587.tif 000010
【図７Ｂ】
2016099587.tif 000011
【図７Ｃ】
2016099587.tif 000012
【図７Ｄ】
2016099587.tif 000013
【図８Ａ】
2016099587.tif 000014
【図８Ｂ】
2016099587.tif 000015
【図９Ａ】
2016099587.tif 000016
【図９Ｂ】
2016099587.tif 000017
【図１０Ａ】
2016099587.tif 000018
【図１０Ｂ】
2016099587.tif 000019
【図１１Ａ】
2016099587.tif 000020
【図１１Ｂ】
2016099587.tif 000021
【図１１Ｃ】
2016099587.tif 000022
【図１２】
2016099587.tif 000023
【図１３Ａ】
2016099587.tif 000024
【図１３Ｂ】
2016099587.tif 000025
【図１４Ａ】
2016099587.tif 000026
【図１４Ｂ】
2016099587.tif 000027
【図１５Ａ】
2016099587.tif 000028
【図１５Ｂ】
2016099587.tif 000029
【図１６Ａ】
2016099587.tif 000030
【図１６Ｂ】
2016099587.tif 000031
【図１７Ａ】
2016099587.tif 000032
【図１７Ｂ】
2016099587.tif 000033
【図１８】
2016099587.tif 000034
【図１９】
2016099587.tif 000035
【図２０】
2016099587.tif 000036
【図２１Ａ】
2016099587.tif 000037
【図２１Ｂ】
2016099587.tif 000038